(57)【要約】      （修正有）【課題】大根おろしを形崩れがなく、所定の形状に容易に成型する大根おろしを成型具を提供する。【解決手段】大根おろし成型具は第１の凹型１、第２の凹型２、押し具３とから構成されている。第１の凹型１と第２の凹型２はそれぞれ、互いが重なり合う合わせ面となる平面部と、平面部の内側に連続し、動物等の形状をして凹んだ凹部とを有している。大根おろしを凹部内に十分に詰め込んだ後に、第１の凹型１と第２の凹型２とを閉じてロック部１ｅ、ロック受部２ｅにより第１の凹型１と第２の凹型２とをロックする。続いて、押し具３の握り部３ａを持ち、円板３ｂを筒部４内に突き当部に至るまで押し込むことで、所定の形状の大根おろしアートを成型することができる。【選択図】図１
0003205087.tif 000002
【実用新案登録請求の範囲】
【請求項１】
凹型と押し具とから成り、前記凹型に大根おろしを充填し、前記押し具を用いて前記凹型内における水分を抜き出して形取りをする大根おろし成型具において、
前記凹型には複数の水板孔を形成したことを特徴とする大根おろし成型具。  
【請求項２】
前記凹型は、第１の凹型と第２の凹型から構成され、前記第１の凹型１と第２の凹型は、互いが重なり合う合わせ面となる平面部と、該平面部の内側に連続して凹んだ凹部とを有することを特徴とする請求項１に記載の大根おろし成型具。
【請求項３】
前記第１の凹型及び第２の凹型の一端は、半円筒部をそれぞれ形成しており、該半円筒部は前記平面部同士を重なり合わせた場合に円筒形状の筒部を形成し、該筒部に前記押し具に押し込むことで前記凹型内における水分を抜くことを特徴とする請求項２に記載の大根おろし成型具。
【請求項４】
前記第１の凹型及び第２の凹型とは片側に設けた係止部をヒンジ機構として開閉可能とし、他側に設けたロック部により閉止状態を保持するようにしたことを特徴とする請求項２又は３に記載の大根おろし成型具。
【請求項５】
前記押し具は握り部の先端に円板を取り付けたことを特徴とする請求項２〜４の何れか１項に記載の大根おろし成型具。
【請求項６】
前記凹部の空間は動物の形状を形取ったことを特徴とする請求項２〜５に記載の大根おろし成型具。
【考案の詳細な説明】
【技術分野】
【０００１】
本考案は、鍋料理等に入れる大根おろし細工を成型するための大根おろし成型具に関するものである。
【背景技術】
【０００２】
鍋等に大根おろしを入れて食するみぞれ鍋は、広く普及している。この場合に、大根おろしを動物やキャラクタを形取った所謂大根おろしアートを成型し、鍋料理の中央に載置したりすることで雰囲気が楽しくなる。鍋料理以外にも、大根おろしアートを焼き魚の皿に載置して、雰囲気を楽しくすることもできる。
【０００３】
特許文献１には、食品を動物の形に成型する成型具として、おにぎりを成型する成型器が開示されている。この成型器は、底部にご飯を入れ、押し込むことで、動物の形をしたおにぎりが成型される。
【先行技術文献】
【特許文献】
【０００４】
【特許文献１】意匠公報第１５２７９４３号公報
【考案の概要】
【考案が解決しようとする課題】
【０００５】
鍋料理等に大根おろしアートを使用する場合には、水気を十分に取り除いた大根おろしを粘度細工を成型するように、手で大根おろしアートを成型する必要があり、手間を要する。
【０００６】
また、特許文献１の成型具で、大根おろしアートの成型を代用しようとすると、水気を十分に取り除くことができず、形状を保形することができないという問題がある。また、たとえ成型できたとしても短時間に形崩れしてしまう。
【０００７】
本考案の目的は、大根おろしを形崩れがなく、所定の形状に容易に成型し得る大根おろし成型具を提供することにある。
【課題を解決するための手段】
【０００８】
上記目的を達成するための本考案に係る大根おろし成型具は、凹型と押し具とから成り、前記凹型に大根おろしを充填し、前記押し具を用いて前記凹型内における水分を抜き出して形取りをする大根おろし成型具において、前記凹部には複数の水板孔を形成したことを特徴とする。
【考案の効果】
【０００９】
本考案に係る大根おろし成型具によれば、型に押し込むと共に水抜きをするので、形崩れのない大根おろしアートを容易に成型することができる。
【図面の簡単な説明】
【００１０】
【図１】実施例１の大根おろし成型具の分解斜視図である。
【図２】第１の凹型の（ａ）正面図、（ｂ）側面図、（ｃ）背面図である。
【図３】第２の凹型の（ａ）正面図、（ｂ）側面図、（ｃ）背面図である。
【図４】押し具を押し込んだ状態の大根おろし成型具の斜視図である。
【図５】鍋に大根おろしアートを添えた説明図である。
【図６】実施例２の大根おろし成型具の分解斜視図である。
【図７】押し具を押し込んだ状態の斜視図である。
【考案を実施するための形態】
【００１１】
本考案を図示の実施例に基づいて詳細に説明する。
【実施例１】
【００１２】
図１は大根おろし成型具の実施例１の斜視図を示しており、大根おろし成型具は第１の凹型１、第２の凹型２、押し具３とから構成されている。そして、第１の凹型１と第２の凹型２とを合わせた内部には例えば動物を形取った空間が形成されている。
【００１３】
図２、図３はそれぞれ第１の凹型１、第２の凹型２の（ａ）正面図、（ｂ）側面図、（ｃ）背面図を示しており、図４は押し具３を第１、第２の凹型１、２内に押し込んだ状態の斜視図を示している。
【００１４】
第１の凹型１と第２の凹型２はそれぞれ、互いが重なり合う合わせ面となる平面部１ａ、２ａと、これらの平面部１ａ、２ａの外周を取り囲む周壁部１ｂ、２ｂと、平面部１ａ、２ａの内側に連続し、動物等の形状をして凹んだ凹部１ｃ、２ｃとを有している。
【００１５】
また、周壁部１ｂ、２ｂの一方の側には、第１の凹型１と第２の凹型２とを開閉自在にヒンジ部として機能する軸受部１ｄ、軸部２ｄを有し、周壁部１ｂ、２ｂの他方の側同士には閉止状態を保持するロック部１ｅ、ロック受部２ｅが設けられている。
【００１６】
凹部１ｃの内面には動物、例えばデフォルメした熊の前面部が形取られており、凹部２ｃの内面には熊の背面部が形取られている。なお、本実施例ではデフォルメした熊の形状を用いて説明しているが、著名なキャラクタ等の各種形状を適宜に採用することができる。
【００１７】
また、平面部１ａと凹部１ｃとの連結個所及び平面部２ａと凹部２ｃとの連結個所には、スリット状の複数個の水抜孔１ｆ、２ｆが設けられている。
【００１８】
凹部１ｃ、２ｃの一端は、半円筒部１ｇ、２ｇを形成しており、これらの半円筒部１ｇ、２ｇに周壁部１ｂ、２ｂが連続している。第１の凹型１と第２の凹型２を組合わせた状態において、半円筒部１ｇ、２ｇは円筒形状の筒部４を形成している。この筒部４の中心軸は軸部２ｄの軸と平行しており、筒部４は凹部１ｃ、２ｃから成る内部の空間に連続している。
【００１９】
半円筒部１ｇ、２ｇの外側端部はテーパ状のテーパ部１ｈ、２ｈが形成され、半円筒部１ｇ、２ｇの終端には、筒部４の径が稍々小さくなる当接部１ｉ、２ｉが設けられている。
【００２０】
また、押し具３は握り部３ａの先端に円板３ｂが取り付けられており、円板３ｂはテーパ部１ｈ、２ｈから成る筒部４のテーパから挿入可能とされている。そして、筒部４内に挿入した円板３ｂは当接部１ｉ、２ｉから成る突き当部に当接し、それ以上に押し具３の円板３ｂが筒部４の奥方向に押し込むことはできないようにされている。
【００２１】
この大根おろし成型具により、大根おろしを大根おろしアートとして成型するためには、先ずロック部１ｅ、ロック受部２ｅを解除し第１の凹型１と第２の凹型２とを軸受部１ｄ、軸部２ｄが連結した状態で開いて、別途におろし器でおろした大根おろしを第１の凹型１と第２の凹型２及び開いた凹部１ｃ、２ｃ内に十分に詰め込む。
【００２２】
次に、第１の凹型１と第２の凹型２とを閉じてロック部１ｅ、ロック受部２ｅにより第１の凹型１と第２の凹型２とをロックする。続いて、押し具３の握り部３ａを持ち、円板３ｂを筒部４内に当接部１ｉ、２ｉから成る突き当部に至るまで図４で示すように押し込む。
【００２３】
筒部４内の大根おろしは動物等の形状をした空間内に押し込まれると同時に、大根おろし内の水分が水抜孔１ｆ、２ｆや平面部１ａ、２ａ間の隙間から抜け出す。更に、必要に応じて筒部４内に大根おろしを詰め込み、押し具３により凹部１ｃ、２ｃから成る空間内に押し込むことで大根おろしの水分を更に抜く。
【００２４】
十分に水分を抜くことで、大根おろしは保形可能となり、水分を抜いた後に、第１の凹型１と第２の凹型２を開いて、形取りした大根おろしを取り出して、図５に示すように熊の形状とした大根おろしアートを鍋Ｎに入れた具材の上に添えればよい。
【実施例２】
【００２５】
図６は実施例２の別の形態の大根おろし成型具の分解斜視図であり、大根おろし成型具は第１の凹型１’と押し具３’とから構成される。凹型１’は、底部１ｊを有し、上方を開口した開口部１ｋを有する筒状をしており、側面部１ｌには所定の間隔で縦方向のスリット状の水抜孔１ｆ’が形成されている。これらの水抜孔１ｆ’は開口部１ｋから連続している。
【００２６】
実施例２においては、底部１ｊはハート型を形成しているが、多角形や星の形状等を適宜に採用することができる。
【００２７】
押し具３’は上面から見た外形は底部１ｊと略一致する形状をしており、平面状の枠部３ｃの内側に凹部３ｄが設けられている。凹部３ｄの底面部３ｅの中央には上方に摘み部３ｆが起立しており、凹部３ｄは側面部３ｇの外側は凹型１’の開口部１ｋの内側と嵌合可能である。
【００２８】
実施例２の大根おろし成型具により、大根おろしを大根おろしアートとして成型するためには、先ず、凹型１’の内部に大根おろしを入れ、開口部１ｋに達するまで十分に詰め込む。
【００２９】
次に、上方から押し具３’の側面部３ｇが開口部１ｋの内側に嵌合した状態で開口部１ｋの帳面が枠部３ｃの裏面に接するまで、摘み部３ｆを摘んで図７に示すように押し具３’を押し込む。
【００３０】
凹型１’内の大根おろしは、ハート方柱体等の形状をした空間内に押し込まれると同時に、大根おろし内の水分が水抜孔１ｆから抜け出す。
【００３１】
十分に水分を抜いた後に、押し具３’を抜き、形取りしたハート型柱体の大根おろしアートを取り出し、各料理に添えればよい。
【００３２】
このように実施例１、実施例の２の大根おろし成型具を用いることで、形崩れのない大根おろしアートを容易に成型することができる。
【符号の説明】
【００３３】
１、１’  第１の凹型
１ａ、２ａ  平面部
１ｃ、２ｃ  凹部
１ｄ  軸受部
１ｅ  ロック部
１ｆ、１ｆ’、２ｆ  水抜孔
１ｇ、２ｇ  半円筒部
２  第２の凹型
２ｄ  軸部
２ｅ  ロック受部
３、３’  押し具
３ａ  握り部
３ｂ  円板
４  筒部
【図１】
0003205087.tif 000003
【図２】
0003205087.tif 000004
【図３】
0003205087.tif 000005
【図４】
0003205087.tif 000006
【図５】
0003205087.tif 000007
【図６】
0003205087.tif 000008
【図７】
0003205087.tif 000009
【手続補正書】
【提出日】平成28年4月22日(2016.4.22)
【手続補正１】
【補正対象書類名】実用新案登録請求の範囲
【補正対象項目名】全文
【補正方法】変更
【補正の内容】
【実用新案登録請求の範囲】
【請求項１】
凹型と押し具とから成り、前記凹型に大根おろしを充填し、前記押し具を用いて前記凹型内における水分を抜き出して形取りをする大根おろし成型具において、
前記凹型には複数の水抜孔を形成したことを特徴とする大根おろし成型具。
【請求項２】
前記凹型は、第１の凹型と第２の凹型から構成され、前記第１の凹型１と第２の凹型は、互いが重なり合う合わせ面となる平面部と、該平面部の内側に連続して凹んだ凹部とを有することを特徴とする請求項１に記載の大根おろし成型具。
【請求項３】
前記第１の凹型及び第２の凹型の一端は、半円筒部をそれぞれ形成しており、該半円筒部は前記平面部同士を重なり合わせた場合に円筒形状の筒部を形成し、該筒部に前記押し具に押し込むことで前記凹型内における水分を抜くことを特徴とする請求項２に記載の大根おろし成型具。
【請求項４】
前記第１の凹型及び第２の凹型とは片側に設けた係止部をヒンジ機構として開閉可能とし、他側に設けたロック部により閉止状態を保持するようにしたことを特徴とする請求項２又は３に記載の大根おろし成型具。
【請求項５】
前記押し具は握り部の先端に円板を取り付けたことを特徴とする請求項２〜４の何れか１項に記載の大根おろし成型具。
【請求項６】
前記凹型の空間は動物の形状を形取ったことを特徴とする請求項２〜５の何れか１項に記載の大根おろし成型具。
【手続補正２】
【補正対象書類名】明細書
【補正対象項目名】０００８
【補正方法】変更
【補正の内容】
【０００８】
上記目的を達成するための本考案に係る大根おろし成型具は、凹型と押し具とから成り、前記凹型に大根おろしを充填し、前記押し具を用いて前記凹型内における水分を抜き出して形取りをする大根おろし成型具において、前記凹型には複数の水抜孔を形成したことを特徴とする。